【手続補正書】
【提出日】平成19年3月30日(2007.3.30)
【手続補正１】
【補正対象書類名】明細書
【補正対象項目名】発明の名称
【補正方法】変更
【補正の内容】
【発明の名称】カラー画像形成装置及びカラー画像形成装置の制御方法
【手続補正２】
【補正対象書類名】明細書
【補正対象項目名】特許請求の範囲
【補正方法】変更
【補正の内容】
【特許請求の範囲】
【請求項１】  像担持体或いは転写材担持体上に形成された第一の検知用トナー像の濃度を検知する第一の濃度検知手段と、
転写材上に定着された第二の検知用トナー像の濃度を検知する第二の濃度検知手段と、
前記第一の濃度検知手段と前記第二の濃度検知手段との両検知結果に基づいて、画像濃度の補正を行う補正手段とを有し、
前記第一の検知用トナー像を転写材に転写及び定着して、前記第二の検知用トナー像とすることを特徴とするカラー画像形成装置。
【請求項２】  像担持体上或いは転写材担持体上に形成された第一の検知用トナー像の濃度を検知する第一の濃度検知手段と、
転写材上に定着された第二の検知用トナー像の濃度を検知する本体外部の第二の濃度検知手段と、
前記第二の濃度検知手段による検知結果を本体に取り込む手段と、
前記第一の濃度検知手段と前記本体外部の第二の濃度検知手段との両検知結果に基づいて、画像濃度の補正を行う補正手段とを有し、
前記第一の検知用トナー像を転写材に転写及び定着して、前記第二の検知用トナー像とすることを特徴とするカラー画像形成装置。
【請求項３】  前記補正手段は、前記第二の濃度検知手段の検知結果に基づき、前記第一の濃度検知手段の濃度検知特性の補正を行うことを特徴とする請求項１又は２に記載のカラー画像形成装置。
【請求項４】  前記補正手段は、前記第一の濃度検知手段による検知結果と前記第二の濃度検知手段の検知結果とを比較し、該比較に基づき画像濃度補正における目標階調特性を算出することを特徴とする請求項１又は２に記載のカラー画像形成装置。
【請求項５】  前記第一の検知用トナー像を転写材に転写及び定着して、前記第二の検知用トナー像とすることにより共通化された検知用トナー画像に対する前記第一の濃度検知手段による検知結果と前記第二の濃度検知手段による検知結果とに基づき、前記第一の濃度検知手段又は前記第二の濃度検知手段の故障判断を行う故障判断手段を有することを特徴とする請求項１乃至４の何れかに記載のカラー画像形成装置。
【請求項６】 第一の濃度検知手段による、像担持体或いは転写材担持体上に形成された第一の検知用トナー像の濃度を検知する第一の濃度検知工程と、
第二の濃度検知手段による、転写材上に定着された第二の検知用トナー像の濃度を検知する第二の濃度検知工程と、
前記第一の濃度検知工程と前記第二の濃度検知工程とにおける両検知結果に基づいて、画像濃度の補正を行う補正工程とを有し、
前記第一の検知用トナー像を転写材に転写及び定着して、前記第二の検知用トナー像とすることを特徴とするカラー画像形成装置の制御方法。
【請求項７】  第一の濃度検知手段による、像担持体上或いは転写材担持体上に形成された第一の検知用トナー像の濃度を検知する第一の濃度検知工程と、
本体外部の第二の濃度検知手段による、転写材上に定着された第二の検知用トナー像の濃度を検知する第二の濃度検知工程と、
前記第二の濃度検知工程における検知結果を本体に取り込む工程と、
前記第一の濃度検知工程と前記第二の濃度検知工程との両検知結果に基づいて、画像濃度の補正を行う補正工程とを有し、
前記第一の検知用トナー像を転写材に転写及び定着して、前記第二の検知用トナー像とすることを特徴とするカラー画像形成装置の制御方法。
【請求項８】  前記補正工程は、前記第二の濃度検知工程の検知結果に基づき、前記第一の濃度検知工程における濃度検知特性の補正を行うことを特徴とする請求項６又は７に記載のカラー画像形成装置の制御方法。
【請求項９】  前記補正工程は、前記第一の濃度検知工程における検知結果と前記第二の濃度検知工程における検知結果とを比較し、該比較に基づき画像濃度補正における目標階調特性を算出することを特徴とする請求項６又は７に記載のカラー画像形成装置の制御方法。
【請求項１０】  前記第一の検知用トナー像を転写材に転写及び定着して、前記第二の検知用トナー像とすることにより共通化された検知用トナー画像に対する前記第一の濃度検知工程による検知結果と前記第二の濃度検知工程における検知結果とに基づき、前記第一の濃度検知手段又は前記第二の濃度検知手段の故障判断を行う故障判断工程を有することを特徴とする請求項６乃至９の何れかに記載のカラー画像形成装置の制御方法。
【手続補正３】
【補正対象書類名】明細書
【補正対象項目名】０００１
【補正方法】変更
【補正の内容】
【０００１】
【発明の属する技術分野】
本発明は、カラープリンタ、カラー複写機等の電子写真方式のカラー画像形成装置及びカラー画像形成装置の制御方法に関する。
【手続補正４】
【補正対象書類名】明細書
【補正対象項目名】０００７
【補正方法】変更
【補正の内容】
【０００７】
従って、転写材上のトナーパッチを使用して濃度制御を実施する場合は、前述した未定着パッチを使用した濃度制御と組み合わせて使用することが好ましい。この手法例として本出願人は、既にいくつかの発明を提案している。そのうちの１つについて簡単に説明すると、転写材上に形成された定着後のトナーパッチの濃度をカラーセンサで検出し、その検出結果に応じて画像濃度制御における目標濃度階調特性を算出し、その目標濃度階調特性が得られるように、濃度センサを使用して画像濃度制御を行う方法である。
【手続補正５】
【補正対象書類名】明細書
【補正対象項目名】０００８
【補正方法】変更
【補正の内容】
【０００８】
また、転写材上に形成された定着後のトナーパッチの濃度をカラーセンサで検出し、その検出結果に応じて濃度センサの補正を行い、画像濃度制御を行う方法も提案している。
【手続補正６】
【補正対象書類名】明細書
【補正対象項目名】００１２
【補正方法】変更
【補正の内容】
【００１２】
本発明は、上述の事情に鑑みて成されたもので、濃度制御の時間を短縮し、且つ検知用トナーパッチ濃度の時間的変動および位置的変動により生じる濃度制御の精度低下を防止可能とするカラー画像形成装置及びカラー画像形成装置の制御方法を提供することを目的とする。
【手続補正７】
【補正対象書類名】明細書
【補正対象項目名】００１４
【補正方法】変更
【補正の内容】
【００１４】
（１）像担持体或いは転写材担持体上に形成された第一の検知用トナー像の濃度を検知する第一の濃度検知手段と、転写材上に定着された第二の検知用トナー像の濃度を検知する第二の濃度検知手段と、前記第一の濃度検知手段と前記第二の濃度検知手段との両検知結果に基づいて、画像濃度の補正を行う補正手段とを有し、前記第一の検知用トナー像を転写材に転写及び定着して、前記第二の検知用トナー像とすることを特徴とするカラー画像形成装置。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００３２
【補正方法】変更
【補正の内容】
【００３２】
一次帯電手段として、ステーション毎にイエロー（Ｙ）、マゼンタ（Ｍ）、シアン（Ｃ）、ブラック（Ｋ）の感光体を帯電させるための４個の注入帯電器２３Ｙ、２３Ｍ、２３Ｃ、２３Ｋを備える構成で、各注入帯電器にはスリーブ２３ＹＳ、２３ＭＳ、２３ＣＳ、２３ＫＳが備えられている。
【手続補正２０】
【補正対象書類名】明細書
【補正対象項目名】００３４
【補正方法】変更
【補正の内容】
【００３４】
現像手段として、前記静電潜像を可視化するために、ステーション毎にイエロー（Ｙ）、マゼンタ（Ｍ）、シアン（Ｃ）、ブラック（Ｋ）の現像を行う４個の現像器２６Ｙ、２６Ｍ、２６Ｃ、２６Ｋを備える構成で、各現像器には、スリーブ２６ＹＳ、２６ＭＳ、２６ＣＳ、２６ＫＳが設けられている。各々の現像器は脱着可能に取り付けられている。
【手続補正２１】
【補正対象書類名】明細書
【補正対象項目名】００７８
【補正方法】変更
【補正の内容】
【００７８】
尚、カラー画像形成装置１の主な構成は、実施例１で使用したカラー画像形成装置とほぼ同一であり、カラーセンサ４２が無いところのみが異なる。また、原稿読取り装置３は、市販のフラットベットスキャナでありホストコンピュータ２と接続されている。
【手続補正２２】
【補正対象書類名】明細書
【補正対象項目名】符号の説明
【補正方法】変更
【補正の内容】
【符号の説明】
１  カラー画像形成装置本体
２  ホストコンピュータ
３  原稿読取り装置
１１  転写材
２２  感光体（感光ドラム）
２６  現像手段
２７  中間転写体
３０  定着部
４１  濃度センサ
４２  カラーセンサ